(57)【要約】      （修正有）【課題】洗浄液の分散吹きかけによる洗浄と水の分散吹きかけによるすすぎ洗浄の流体を入れ換えることなく、水より比重の小さい洗浄液および水の二層からなる流体を使用し上層の洗浄液の吸込みと下層の水の吸込むストレーナーを上下に回動切換える切換手段を備えた循環式の洗浄機を提供する。【解決手段】洗浄機本体１０にパレット収容室１０ｄ、水より比重の小さい洗浄液および水の二層からなる流体を収容する流体収容室１０ｃ、ポンプ収容室１０ｅ、洗浄液あるいは水の分散吹きかけを行う多孔式のマニホールド３、流体収容室の側面に流体を吸込むストレーナー２３を上下に回動切換えるホルダ２０、エアー伝達時間を制御するエアータイマー１、ポンプ２および流体収容室の下端側面に排水バルブとで構成されている。【選択図】図１
0003174426.tif 000002
【実用新案登録請求の範囲】
【請求項１】
エアーの供給を伝達するエアー伝達手段と、前記エアー伝達手段を取込んでエアー駆動によって水より比重の小さい洗浄液および水の二層からなる流体の吸入・吐出を行う流体制御手段と、前記流体を伝達する流体伝達手段と、前記流体を吸入するストレーナーを上下に回動切換える切換手段と、前記流体制御手段の内、吐出による流体の分散吹きかけを行う流体分散吹きかけ手段と、洗浄されるパレットを収容するパレット収容室と、前記流体を収容する流体収容室と、前記流体制御手段であるポンプを収容するポンプ収容室と、前記流体収容室の下側に流体を排出する流体排出手段を有する洗浄機。
【請求項２】
前記エアー伝達手段と前記流体制御手段の間にエアー伝達時間を制御するエアータイマーを有する請求項１に記載の洗浄機
【請求項３】
前記流体収容室の底部面が、前記流体排出手段の排出口に対して徐々に流体を排出できる様、傾斜面にしたことを特徴とする請求項１または２に記載の洗浄機。
【考案の詳細な説明】
【技術分野】
【０００１】  本考案は、プリント基板に半導体・ＬＥＤ・電子部品を実装する為のハンダ槽ハンダ付けに使用される搬送治具をパレットと称している。このフラックス残渣が付着したパレットに対して洗浄液の分散吹きかけによる洗浄および水の分散吹きかけによるすすぎ洗浄を行う洗浄機において、洗浄液および水の吸入・吐出を行う流体制御手段であるポンプの駆動源が電気ではなくエアーとしたこと、エアー伝達時間を制御するエアータイマーを設けたこと、洗浄液の分散吹きかけによる洗浄と水の分散吹きかけによるすすぎ洗浄の流体を入れ換えることなく、水より比重の小さい洗浄液および水の二層からなる流体を使用し上層の洗浄液の吸込みと下層の水の吸込むストレーナーを上下に回動切換える切換手段を備えた洗浄機に関するものである。
【背景技術】
【０００２】  プリント基板に半導体・ＬＥＤ・電子部品を実装する為のハンダ槽ハンダ付けに使用されたフラックス残渣の付着したパレットに対してノズルの洗浄液吹きかけによる洗浄を行う洗浄機は、パレットを載置するための架台と、パレットに対して上方から洗浄液を吹きかけるためのノズルと、パレットを洗浄した後の洗浄液を、貯蔵タンク・ポンプを介して、循環させるための洗浄液循環装置を備えており、ノズルの洗浄液吹きかけでパレット洗浄を行う。この装置は、パレットに対する洗浄において、ノズルの洗浄液吹きかけにより洗浄を行うため、洗浄液のみで行う洗浄機である。【０００３】  例えば、特開２００８−２９６０８５号公報によれば、パレットを載置するための架台と、パレットに対して上方から洗浄液を吹きかけるためのノズルと、パレットを洗浄した後の洗浄液を、貯蔵タンク・ポンプを介して、循環させるための洗浄液循環装置を備えている洗浄機が開示されている。この洗浄機では、上方からノズルにより、その下の架台に載置されたパレットに洗浄液を吹きかけパレットの洗浄を行う。そして架台の下方にパレットを洗浄した後の洗浄液をろ過するためのシート状ろ過材を設けている。その下に貯蔵タンク・ポンプからなる洗浄液循環装置を設け、洗浄液を循環しながらパレットを洗浄している。このように、洗浄液のみを循環しながらパレットを洗浄している洗浄機である。つまり、この洗浄機で洗浄されたパレットでは、付着したフラックス残渣が除去される。しかし、今度は洗浄に使用された洗浄液が付着して残ってしまうことになる。【０００４】  一般にプリント基板に半導体・ＬＥＤ・電子部品を実装する為のハンダ槽ハンダ付けに使用されたフラックス残渣の付着したパレットに対してノズルの洗浄液吹きかけによる洗浄を行う洗浄機は、洗浄液のみを循環しながらパレットを洗浄している為、この洗浄機で洗浄されたパレットには、付着したフラックス残渣が除去される。しかし、今度は洗浄に使用された洗浄液が付着して残ってしまうことになるという問題があった。
【先行技術文献】
【特許文献】
【０００５】
【特許文献１】特開２００８−２９６０８５号公報
【考案の概要】
【考案が解決しようとする課題】
【０００６】  プリント基板に半導体・ＬＥＤ・電子部品を実装する為のハンダ槽ハンダ付けに使用されたフラックス残渣の付着したパレットに対してノズルの洗浄液吹きかけによる洗浄を行う洗浄機として、パレットを載置するための架台と、パレットに対して上方から洗浄液を吹きかけるためのノズルと、パレットを洗浄した後の洗浄液を、貯蔵タンク・ポンプを介して、循環させるための洗浄液循環装置を備えている洗浄機が開示されている。この洗浄機では、上方からノズルにより、その下の架台に載置されたパレットに洗浄液を吹きかけパレットの洗浄を行う。そして架台の下方にパレットを洗浄した後の洗浄液をろ過するためのシート状ろ過材を設けている。その下に貯蔵タンク・ポンプからなる洗浄液循環装置を設け、洗浄液を循環しながらパレットを洗浄している。このように、洗浄液のみを循環しながらパレットを洗浄している洗浄機である。つまり、この洗浄機で洗浄されたパレットには、付着したフラックス残渣が除去され、しかし、今度は洗浄に使用された洗浄液が付着して残ってしまうことになる。【０００７】  本考案は、上記課題に鑑みてなされたものであり、その目的は、洗浄液および水の吸入・吐出を行う流体制御手段であるポンプの駆動源が電気ではなくエアーとしたこと、エアー伝達時間を制御するエアータイマーを設けたこと、洗浄液の分散吹きかけによる洗浄と水の分散吹きかけによるすすぎ洗浄の流体を入れ換えることなく、水より比重の小さい洗浄液および水の二層からなる流体を使用し上層の洗浄液の吸込みと下層の水の吸込むストレーナーを上下に回動切換える切換手段を備えた循環式の洗浄機を提供することである。
【課題を解決するための手段】
【０００８】  本考案の洗浄機は、洗浄機本体の上部にパレット収容室、洗浄機本体の上下の中間部に水より比重の小さい洗浄液および水の二層からなる流体を収容する流体収容室、洗浄機本体の下部にポンプ収容室、パレット収容室の上側に洗浄液の分散吹きかけあるいは水の分散吹きかけを行う多孔式のマニホールド、流体収容室の側面に上層の洗浄液の吸込みと下層の水の吸込むストレーナーを上下に回動切換えるホルダ、洗浄機本体の上面にエアー伝達時間を制御するエアータイマー、ポンプ収容室に洗浄液および水の吸入・吐出を行う流体制御手段であるポンプの駆動源が電気ではなくエアーとしたポンプ、流体収容室の下端側面に排水バルブ、エアータイマーを介してポンプまでのエアーの供給を伝達するエアーホース、洗浄液および水の吸込みを伝達する吸込みホース、洗浄液および水の吐出を伝達する吐出ホースで構成されている。
【考案の効果】
【０００９】  本考案の洗浄機は、パレットに対する洗浄液の分散吹きかけによる洗浄と水の分散吹きかけによるすすぎ洗浄の流体を入れ換えることなく、水より比重の小さい洗浄液および水の二層からなる流体を使用し上層の洗浄液の吸込みと下層の水の吸込むストレーナーを上下に回動切換える切換手段で構成されているため、洗浄液の分散吹きかけによる洗浄と水の分散吹きかけによるすすぎ洗浄のたびにパレットを移動することなく行えるので大幅に時間短縮ができる。また、エアー伝達時間を制御するエアータイマーを設けたので、作業者がずっと付き添っている必要がなく所定時間の洗浄がそれぞれ自動で行える。洗浄機本体の上部に１つのパレット収容室、洗浄機本体の上下の中間部に水より比重の小さい洗浄液および水の二層からなる流体を収容する１つの流体収容室としたので、設置スペースの省スペース化が可能となった。さらに、ポンプの駆動源をエアーとしたので、有機溶剤を使用している場合電気によるスイッチの火花や電気回路による爆発の危険性を回避できる。また、電気設備の無い場所での使用を可能となる。
【図面の簡単な説明】
【００１０】
【図１】  本考案の実施の形態における洗浄液吸込み時の洗浄機を概略的に示した断面図である。
【図２】  本考案の実施の形態における水吸込み時の洗浄機を概略的に示した断面図である。
【図３】  図１のＡ−Ａ矢視拡大図である。
【図４】  図２のＢ−Ｂ矢視拡大図である。
【図５】  比較例におけるパレット洗浄機の説明をするために概略的に示した図である。
【考案を実施するための形態】
【００１１】以下、本考案の実施の形態について図に基づいて説明する。
（実施の形態）
本考案の実施の形態の構成について説明する。
【００１２】  図１では、本考案の洗浄機は、洗浄機本体１０の上部にパレット収容室１０ｄ、洗浄機本体１０の上下の中間部に水より比重の小さい洗浄液３０および水３１の二層からなる流体を収容する流体収容室１０ｃ、洗浄機本体１０の下部にポンプ収容室１０ｅ、パレット収容室１０ｄの上側に洗浄液３０の分散吹きかけあるいは水３１の分散吹きかけを行う多孔式のマニホールド３、流体収容室１０ｃの側面に上層の洗浄液の吸込みと下層の水の吸込むストレーナー２３を上下に回動切換えるホルダ２０からなる構成の洗浄液吸込み時が図示されている。また図２では、水吸込み時が図示されている。図３では、流体収容室１０ｃの洗浄液３０と汚れ成分３２と水３１と不純物３３の内洗浄液吸込み時のホルダ２０、ホルダレバー２１、ストレーナー２３の位置が拡大図示されている。図４では、流体収容室１０ｃの洗浄液３０と汚れ成分３２と水３１と不純物３３の内水吸込み時のホルダ２０、ホルダレバー２１、ストレーナー２３の位置が拡大図示されている。
【００１３】  図１に示されている様に、洗浄機本体１０の上下の中間部に下部の流体収容室下板１０ａと上部の流体収容室上板１０ｂからなる流体収容室１０ｃを設けている。この流体収容室１０ｃに水より比重の小さい洗浄液３０（例えば、荒川化学工業株式会社製、パインアルファ３５０ＶＦ：比重０．７６）と水３１（比重１．０）を収容する。比重の大小による軽重の関係から、上層が洗浄液３０で下層が水３１となる。そして洗浄機本体１０の上部のパレット収容室１０ｄの底部仕切りとなる流体収容室上板１０ｂは、パンチングメタル形状としている。パレット収容室１０ｄの上側に洗浄液３０の分散吹きかけあるいは水３１の分散吹きかけを行う複数のマニホールド穴３ａを有したマニホールド３が、洗浄機本体の左側のフランジ左３ｂと洗浄機本体の右側のフランジ右３ｃに支持されている。また、洗浄機本体１０の下部のポンプ収容室１０ｅにポンプ２を取り付けている。次に動作のエアーの流れについて説明する。エアーコンプレッサーの供給源９と接続したエアーホース７をエアータイマー吸気口１ｂに接続し、エアータイマー１のタイマーツマミ１ａにより伝達時間を制御する。そしてエアータイマー排気口１ｃとポンプ吸気口２ａをエアーホース７で接続してポンプ２がエアーの吸気とポンプ排気口２ｂからの排気によって流体の吸入、吐出の制御を行う。次に動作の流体の流れについて説明する。流体収容室１０ｃの上層の洗浄液３０の右側に、吸込むストレーナー２３をストレーナー用継手２２と接続してホルダレバー２１付きホルダ２０に取り付けている。このストレーナー２３を上下に回動切換えるホルダレバー２１付きホルダ２０に吸込ホース６ａの端面を接続し、もう一方の端面とポンプ吸入口２ｃを接続する。  ポンプ吐出口２ｄと継手４とフランジ右３ｂを吐出ホース６ｂで接続して、複数のマニホールド穴３ａより洗浄液３０の分散吹きかけが行われる。そして分散吹きかけられた洗浄液は流体収容室上板１０ｂを通過して  流体収容室１０ｃの上層の洗浄液３０に戻り再びストレーナー２３により吸入され、ポンプ吸入口２ｃ、ポンプ吐出口２ｄを通過して複数のマニホールド穴３ａより洗浄液３０の分散吹きかけが再び繰り返し行われる。最初、流体収容室１０ｃには、水より比重の小さい洗浄液３０と水３１の二層となっている。パレット収容室１０ｄのパレット８に対する洗浄液３０の分散吹きかけを繰返すことで、汚れ成分３２と不純物３３が発生する。この汚れ成分３２は、パレット８上に残ったフラックスの反応物であり、比重が０．７６＜汚れ成分＜１．０となり洗浄液３０と水３１との間に層を形成している。また、不純物３３は、パレット８のハンダ付けに使用された残渣の鉛フリーハンダ合金のスズがフラックスのロジンや有機酸と反応して生成される水に不溶な白色の金属塩であり、比重が１．０＜不純物となり水３１の下に層を形成することになる。
【００１４】  図２に示されている様に、水吸込み時の水３１の層に吸込むストレーナー２３を、回動切換えるホルダ２０のホルダレバー２１を下向きに設定して複数のマニホールド穴３ａより水３１の分散吹きかけによるすすぎ洗浄が繰り返し行われる。また流体収容室１０ｃの洗浄液３０、汚れ成分３２、水３１、不純物３３の交換時期においては、流体収容室下板１０ａが右下がりの傾斜となっており右下端に排水バルブ５を設けて、ハンドル５ａを回して別容器へ排水を行うことになる。
【００１５】  図３に示されている様に、図１のＡ−Ａ矢視拡大図で洗浄液３０吸込み時のホルダ２０、ホルダレバー２１、ストレーナー２３の位置が拡大図示されている。流体収容室１０ｃに上から洗浄液３０、汚れ成分３２、水３１、不純物３３となって収容されているので、洗浄液３０の層にストレーナー２３を合わせてホルダ２０のホルダレバー２１が上向きになるよう回動設定している。
【００１６】  図４に示されている様に、図２のＢ−Ｂ矢視拡大図で水３１吸込み時のホルダ２０、ホルダレバー２１、ストレーナー２３の位置が拡大図示されている。流体収容室１０ｃに上から洗浄液３０、汚れ成分３２、水３１、不純物３３となって収容されているので、水３１の層にストレーナー２３を合わせてホルダ２０のホルダレバー２１が下向きになるよう回動設定している。
【００１７】  次に、本実施の形態の作用効果について比較例と比較して説明する。
図５に示されている様に、比較例は、本実施の形態と比較して、パレットを載置するための架台４１と、パレットに対して上方から洗浄液を吹きかけるためのノズル４２と、パレットを洗浄した後の洗浄液４３を、貯蔵タンク４４を介して、循環させるための洗浄液循環装置４６を備えている。この洗浄機４０では、上方からノズル４２により、その下の架台４１に載置されたパレットに洗浄液４３を吹きかけパレットの洗浄を行う。そして架台４１の下方にパレットを洗浄した後の洗浄液をろ過するためのシート状ろ過材４７を設けている。その下に貯蔵タンク４４・ポンプ４５からなる洗浄液循環装置４６を設け、洗浄液４３を循環しながらパレットを洗浄している。このように、洗浄液４３のみを循環しながらパレットを洗浄している洗浄機４０である。この洗浄機４０で洗浄されたパレットには、付着したフラックス残渣が除去され、しかし、今度は洗浄に使用された洗浄液が付着して残ってしまうことになる。
【００１８】  これに対して、本実施の形態によれば、本考案の洗浄機は、パレット８に対する洗浄液３０の分散吹きかけによる洗浄と水３１の分散吹きかけによるすすぎ洗浄の流体を入れ換えることなく、水より比重の小さい洗浄液および水の二層からなる流体を使用し上層の洗浄液３０の吸込みと下層の水３１の吸込むストレーナー２３を上下に回動切換えるホルダレバー２１付きホルダ２０による切換手段で構成されているため、洗浄液３０の分散吹きかけによる洗浄と水３１の分散吹きかけによるすすぎ洗浄のたびにパレット８を移動することなく行えるので大幅に時間短縮ができる。また、エアー伝達時間を制御するエアータイマー１を設けたので、作業者がずっと付き添っている必要がなく所定時間の洗浄がそれぞれ自動で行える。洗浄機本体１０の上部に１つのパレット収容室１０ｄ、洗浄機本体の上下の中間部に水より比重の小さい洗浄液３０および水３１の二層からなる流体を収容する１つの流体収容室１０ｃとしたので、設置スペースの省スペース化が可能となる。さらに、ポンプ２の駆動源をエアーとしたので、有機溶剤を使用している場合電気によるスイッチの火花や電気回路による爆発の危険性を回避できる。また、電気設備の無い場所での使用を可能となる。
【産業上の利用可能性】
【００１９】  本考案は、パレットに対する洗浄液の分散吹きかけによる洗浄および水の分散吹きかけによるすすぎ洗浄を行う洗浄機に特に有利に適用され得る。
【符号の説明】
【００２０】  １  エアータイマー、１ａ  タイマーツマミ、１ｂ  エアータイマー吸気口、１ｃ  エアータイマー排気口、２  ポンプ、２ａ  ポンプ吸気口、２ｂ  ポンプ排気口、２ｃ  ポンプ吸入口、２ｄ  ポンプ吐出口、３  マニホールド、３ａ  マニホールド穴、３ｂ  フランジ左、３ｃ  フランジ右、４  継手、５  排水バルブ、５ａ  ハンドル、６ａ  吸入ホース、６ｂ  吐出ホース、７  エアーホース、８  パレット、９  エアーコンプレッサーの供給源、１０  洗浄機本体、１０ａ  流体収容室下板、１０ｂ  流体収容室上板、１０ｃ  流体収容室、１０ｄ  パレット収容室、１０ｅ  ポンプ収容室、２０  ホルダ、２１  ホルダレバー、２２  ストレーナー用継手、２３  ストレーナー、３０  洗浄液、３１  水、３２  汚れ成分、３３  不純物、４０  洗浄機、４１  架台、４２  ノズル、４３  洗浄液、４４  貯蔵タンク、４５  ポンプ、４６  洗浄液循環装置、４７  シート状ろ過材、
【図１】
0003174426.tif 000003
【図２】
0003174426.tif 000004
【図３】
0003174426.tif 000005
【図４】
0003174426.tif 000006
【図５】
0003174426.tif 000007